(57)【要約】【課題】低解像度の画像を表示する際に、横クロストークに起因する色ムラを低減するための液晶表示装置及びその表示方法を提供する。【解決手段】液晶表示装置であって、画素列及び画素行によって形成されたマトリックスに配列された複数のドットを含み、各ドットは、第１解像度のドットを表示するために用いられる画素を少なくとも１つ含み、ドットサイズが０．０１８ｍｍ２以上０．１６ｍｍ２以下であり、画素列毎に、同じ極性を有する駆動信号が供給され、液晶表示装置は、第１解像度の画像信号のドットよりも少ないドットを有する第２解像度の画像信号を受信する場合、第２解像度の画像における１つのドットは、少なくとも１つの高階調画素と、高階調画素が表示する階調レベルよりも低い階調レベルを表示する、少なくとも１つの低階調画素との組合せによって表示され、各画素行は、複数の高階調画素又は複数の低階調画素によって形成される。【選択図】図３Ｆ
2014232321.tif 000002
【特許請求の範囲】
【請求項１】
液晶表示装置であって、
画素列及び画素行によって形成されたマトリックスに配列された複数のドットを含み、
各前記ドットは、第１解像度の１つのドットを表示するために用いられる画素を少なくとも１つ含み、ドットサイズが０．０１８ｍｍ２以上０．１６ｍｍ２以下であり、
前記画素列毎に、同じ極性を有する駆動信号が供給され、
前記液晶表示装置は、前記第１解像度の画像信号のドットよりも少ないドットを有する第２解像度の画像信号を受信する場合、
前記第２解像度の画像における１つのドットは、少なくとも１つの高階調画素と、前記高階調画素が表示する階調レベルよりも低い階調レベルを表示する、少なくとも１つの低階調画素との組合せによって表示され、
各前記画素行は、複数の前記高階調画素又は複数の前記低階調画素によって形成されることを特徴とする液晶表示装置。
【請求項２】
前記第２解像度の画像信号が２次元画像信号である場合、
前記液晶表示装置が前記第２解像度の画像を出力する時に、前記高階調画素によって形成された画素行、及び前記低階調画素によって形成された画素行は、列方向に沿って交互に並ぶように配列されることを特徴とする請求項１に記載の液晶表示装置。
【請求項３】
前記第２解像度の画像信号が３次元画像信号である場合、
前記液晶表示装置が前記第２解像度の画像を出力する時に、前記高階調画素によって形成された画素行、及び前記低階調画素によって形成された画素行は、列方向に沿って二行ずつ交互に並ぶように配列されることを特徴とする請求項１に記載の液晶表示装置。
【請求項４】
前記液晶表示装置は、２つの画素行毎に順次走査することにより、フレーム期間を、各画素行毎に順次走査する時のフレーム期間の半分に短縮することを特徴とする請求項３に記載の液晶表示装置。
【請求項５】
隣接するフレーム期間のそれぞれにおいては、左眼用画像と、右眼用画像とをそれぞれ表示することを特徴とする請求項４に記載の液晶表示装置。
【請求項６】
前記第２解像度の画像における１つの画素は、前記液晶表示装置の２つの高階調画素と２つの低階調画素との組合せによって表示されることを特徴とする請求項１に記載の液晶表示装置。
【請求項７】
前記第２解像度の画像信号が２次元画像信号である場合、前記２つの高階調画素及び前記２つの低階調画素は、２つの隣接する画素行と２つの隣接する画素列とが相互に交差してなる４つの画素であることを特徴とする請求項６に記載の液晶表示装置。
【請求項８】
前記第２解像度の画像信号が３次元画像信号である場合、前記２つの高階調画素及び前記２つの低階調画素は、４つの隣接する画素行と１つの画素列とが相互に交差してなる４つの画素であることを特徴とする請求項６に記載の液晶表示装置。
【請求項９】
前記液晶表示装置は、列反転駆動方式により駆動されることを特徴とする請求項１に記載の液晶表示装置。
【請求項１０】
液晶表示装置の表示方法であって、
第１解像度のドットよりも少ないドットを有する第２解像度の画像信号を、前記第１解像度を有する液晶表示装置に供給する工程と、
前記第１解像度を有する液晶表示装置を画素列毎に同じ極性で駆動する工程と、
前記第２解像度の１つのドットを表示するために、少なくとも１つの高階調画素と、前記高階調画素が表示する階調レベルよりも低い階調レベルを表示する、少なくとも１つの低階調画素とを組合せる工程と、
前記第１解像度を有する液晶表示装置の各画素行を複数の前記高階調画素又は複数の前記低階調画素によって形成する第２解像度の画像を出力する工程と、を含む液晶表示装置の表示方法。
【請求項１１】
前記第１解像度を有する液晶表示装置のドットサイズは、０．０１８ｍｍ２以上０．１６ｍｍ２以下であることを特徴とする請求項１０に記載の液晶表示装置の表示方法。
【請求項１２】
前記第２解像度の画像信号が２次元画像信号である場合、前記第１解像度を有する液晶表示装置が２次元画像を出力する際、前記高階調画素からなる画素行及び前記低階調画素からなる画素行は、列方向に沿って交互に並ぶように配列されていることを特徴とする請求項１０に記載の液晶表示装置の表示方法。
【請求項１３】
前記第２解像度の画像信号が３次元画像信号である場合、前記第１解像度を有する液晶表示装置が３次元画像を出力する際、前記高階調画素からなる画素行及び前記低階調画素からなる画素行は、列方向に沿って二行ずつ交互に並ぶように配列されていることを特徴とする請求項１０に記載の液晶表示装置の表示方法。
【請求項１４】
前記第１解像度を有する液晶表示装置は、２つの画素行毎に順次走査するとともに、隣接するフレーム期間のそれぞれにおいて、左眼用画像と、右眼用画像とをそれぞれ出力することを特徴とする請求項１３に記載の液晶表示装置の表示方法。
【請求項１５】
前記第２解像度における１つのドットは、前記液晶表示装置の２つの高階調画素と２つの低階調画素との組合せによって表示されることを特徴とする請求項１０に記載の液晶表示装置の表示方法。
【請求項１６】
前記第２解像度の画像信号が２次元画像信号である場合、前記２つの高階調画素及び前記２つの低階調画素は、２つの隣接する画素行と２つの隣接する画素列とが相互に交差してなる４つの画素であることを特徴とする請求項１５に記載の液晶表示装置の表示方法。
【請求項１７】
前記第２解像度の画像信号が３次元画像信号である場合、前記２つの高階調画素及び前記２つの低階調画素は、４つの隣接する画素行と１つの画素列とが相互に交差してなる４つの画素であることを特徴とする請求項１５に記載の液晶表示装置の表示方法。
【請求項１８】
前記第１解像度を有する液晶表示装置は、列反転駆動方式により駆動されることを特徴とする請求項１０に記載の液晶表示装置の表示方法。
【発明の詳細な説明】
【技術分野】
【０００１】
本発明は、液晶表示装置及びその表示方法に関し、特に、低解像度の画像を表示する際に、横クロストークに起因する色ムラを低減するための液晶表示装置及びその表示方法に関する。
【背景技術】
【０００２】
４Ｋ２Ｋ液晶表示装置は、現在テレビ市場において最新規格の１つである。４Ｋ２Ｋは、例えば、３８４０×２１６０の解像度の略称であり、この解像度は１９２０×１０８０のフルＨＤ解像度の４倍であるので、４Ｋ２Ｋテレビは、超高精細度（ウルトラＨＤ）テレビとも呼ばれている。
【発明の概要】
【発明が解決しようとする課題】
【０００３】
しかしながら、解像度が高くなるにつれて、駆動ＩＣの数も増加する。アクティブマトリックス表示装置は、画素列及び画素行によって形成されたマトリックスに配列された複数のドットを含む（本明細書において、１つのドットは複数の画素を含み、各画素は１つの色を表示するに用いられる）。したがって、一列の画素列を、同じ極性を有する一本のデータ線で駆動することにより、駆動ＩＣの数を減らし、低コスト化の要望を満たすことができる。しかし、この駆動方法は、横クロストーク（Horizontal Crosstalk）の問題が生じやすい。
【０００４】
本発明は、上記の点に鑑みてなされたものであって、超高精細度テレビで低解像度の画像信号を表示する際、高階調画素及び低階調画素の構成を最適化することによって、横クロストークに起因する色ムラを低減できる液晶表示装置及びその表示方法を提供することを目的とする。
【課題を解決するための手段】
【０００５】
以下、本発明の実施形態について、添付図面を参照しながら詳細に説明する。
【０００６】
本発明の液晶表示装置は、画素列及び画素行によって形成されたマトリックスに配列された複数のドットを含み、各ドットは、第１解像度の１つのドットを表示するために用いられる画素を少なくとも１つ含み、ドットサイズが０．０１８ｍｍ２以上０．１６ｍｍ２以下であり、前記画素列毎に、同じ極性を有する駆動信号が供給され、前記液晶表示装置は、前記第１解像度の画像信号のドットよりも少ないドットを有する第２解像度の画像信号を受信する場合、前記第２解像度の画像の１つのドットは、少なくとも１つの高階調画素と、前記高階調画素が表示する階調レベルよりも低い階調レベルを表示する、少なくとも１つの低階調画素との組合せによって表示され、各前記画素行は、複数の前記高階調画素又は複数の前記低階調画素によって形成される。
【０００７】
この時、前記第２解像度の画像信号が２次元画像信号である場合、前記液晶表示装置が前記第２解像度の画像を出力する時に、前記高階調画素によって形成された画素行、及び前記低階調画素によって形成された画素行は、列方向に沿って交互に並ぶように配列される。
【０００８】
一方、前記第２解像度の画像信号が３次元画像信号である場合、前記液晶表示装置が前記第２解像度の画像を出力する時に、前記高階調画素によって形成された画素行、及び前記低階調画素によって形成された画素行は、列方向に沿って二行ずつ交互に並ぶように配列される。
【０００９】
３次元画像を表示する際、前記液晶表示装置は、２つの画素行毎に順次走査することにより、フレーム期間（ｆｒａｍｅ  ｐｅｒｉｏｄ）を、各画素行毎に順次走査する時のフレーム期間の半分に短縮する。また、隣接するフレーム期間のそれぞれにおいては、左眼用画像と、右眼用画像とをそれぞれ表示する。
【００１０】
また、上記液晶表示装置において、前記第２解像度の画像における１つの画素は、前記液晶表示装置の２つの高階調画素と２つの低階調画素との組合せによって表示される。
【００１１】
この時、前記第２解像度の画像信号が２次元画像信号である場合、前記２つの高階調画素及び前記２つの低階調画素は、２つの隣接する画素行と２つの隣接する画素列とが相互に交差してなる４つの画素である。
【００１２】
一方、前記第２解像度の画像信号が３次元画像信号である場合、前記２つの高階調画素及び前記２つの低階調画素は、４つの隣接する画素行と１つの画素列とが相互に交差してなる４つの画素である。
【００１３】
また、上記液晶表示装置は、列反転駆動方式により駆動される。
【００１４】
本発明の液晶表示装置の表示方法は、第１解像度のドットよりも少ないドットを有する第２解像度の画像信号を、前記第１解像度を有する液晶表示装置に供給する工程と、前記第１解像度を有する液晶表示装置を画素列毎に同じ極性で駆動する工程と、前記第２解像度の１つの画素を表示するために、少なくとも１つの高階調画素と、前記高階調画素が表示する階調レベルよりも低い階調レベルを表示する、少なくとも１つの低階調画素とを組合せる工程と、前記第１解像度を有する液晶表示装置の各画素行を複数の前記高階調画素又は複数の前記低階調画素によって形成する第２解像度の画像を出力する工程とを含む。
【００１５】
また、上記液晶表示装置の表示方法において、前記第１解像度を有する液晶表示装置のドットサイズは、０．０１８ｍｍ２以上０．１６ｍｍ２以下である。
【００１６】
この時、前記第２解像度の画像信号が２次元画像信号である場合、前記第１解像度を有する液晶表示装置が２次元画像を出力する際、前記高階調画素からなる画素行及び前記低階調画素からなる画素行は、列方向に沿って交互に並ぶように配列されている。
【００１７】
一方、前記第２解像度の画像信号が３次元画像信号である場合、前記第１解像度を有する液晶表示装置が３次元画像を出力する際、前記高階調画素からなる画素行及び前記低階調画素からなる画素行は、列方向に沿って二行ずつ交互に並ぶように配列されている。
【００１８】
上記液晶表示装置の表示方法において、前記第１解像度を有する液晶表示装置は、２つの画素行毎に順次走査するとともに、隣接するフレーム期間のそれぞれにおいて、左眼用画像と、右眼用画像とをそれぞれ出力する。
【００１９】
上記液晶表示装置の表示方法において、前記第２解像度における１つのドットは、前記液晶表示装置の２つの高階調画素と２つの低階調画素との組合せによって表示される。
【００２０】
この時、前記第２解像度の画像信号が２次元画像信号である場合、前記２つの高階調画素及び前記２つの低階調画素は、２つの隣接する画素行と２つの隣接する画素列とが相互に交差してなる４つの画素である。
【００２１】
一方、前記第２解像度の画像信号が３次元画像信号である場合、前記２つの高階調画素及び前記２つの低階調画素は、４つの隣接する画素行と１つの画素列とが相互に交差してなる４つの画素である。
【００２２】
上記液晶表示装置の表示方法において、前記第１解像度を有する液晶表示装置は、列反転駆動方式により駆動される。
【発明の効果】
【００２３】
本発明によれば、高解像度の液晶パネルで低解像度の画像を表示する時に低カラーシフト技術を利用しようとする場合、高階調画素のみ又は低階調画素のみが水平方向に配列されている構成は、採用できる最良の構成であることが分かる。この構成の下では、広視野角を実現したことに加え、横クロストーク及び色ムラを最低限に抑え、画像品質を確保することができる。また、高解像度の液晶パネルは、それぞれ、２次元画像と３次元画像を表示するために異なる構成を採用する。低解像度の２次元画像信号が高解像度の液晶パネルに入力される場合には、水平方向に高階調画素のみ又は低階調画素のみが配列され、垂直方向に高階調画素及び低階調画素が交互に並ぶように配列される構成を採用する。低解像度の３次元画像信号が高解像度の液晶パネルに入力される場合には、水平方向に高階調画素のみ又は低階調画素のみが配列され、垂直方向に高階調画素及び低階調画素が２つずつ交互に並ぶように配列される構成を採用する。
【図面の簡単な説明】
【００２４】
【図１Ａ】本発明の１つの実施形態に係る、４Ｋ２Ｋ液晶表示装置にフルＨＤの２次元画像が入力される駆動方法を示す概略図である。図１Ａは、４Ｋ２Ｋ液晶パネルを示す回路図である。
【図１Ｂ】本発明の１つの実施形態に係る、４Ｋ２Ｋ液晶表示装置にフルＨＤの２次元画像が入力される駆動方法を示す概略図である。図１Ｂは、図１Ａに示す４Ｋ２Ｋ液晶パネルにおける走査線及びデータ線の信号のタイミングチャートを示す図である。
【図２Ａ】本発明のもう１つの実施形態に係る、４Ｋ２Ｋ液晶表示装置にフルＨＤの３次元画像が入力される駆動方法を示す概略図である。図２Ａは、４Ｋ２Ｋ液晶パネルを示す回路図である。
【図２Ｂ】本発明のもう１つの実施形態に係る、４Ｋ２Ｋ液晶表示装置にフルＨＤの３次元画像が入力される駆動方法を示す概略図である。図２Ｂは、図２Ａに示す４Ｋ２Ｋ液晶パネルにおける走査線及びデータ線の信号のタイミングチャートを示す図である。
【図３Ａ】図３Ａは、４Ｋ２Ｋ液晶パネルがフルＨＤ画像を表示する時の高階調画素及び低階調画素の構成を示す概略図である。
【図３Ｂ】図３Ｂは、４Ｋ２Ｋ液晶パネルがフルＨＤ画像を表示する時の高階調画素及び低階調画素の構成を示す概略図である。
【図３Ｃ】図３Ｃは、４Ｋ２Ｋ液晶パネルがフルＨＤ画像を表示する時の高階調画素及び低階調画素の構成を示す概略図である。
【図３Ｄ】図３Ｄは、４Ｋ２Ｋ液晶パネルがフルＨＤ画像を表示する時の高階調画素及び低階調画素の構成を示す概略図である。
【図３Ｅ】図３Ｅは、４Ｋ２Ｋ液晶パネルがフルＨＤ画像を表示する時の高階調画素及び低階調画素の構成を示す概略図である。
【図３Ｆ】図３Ｆは、４Ｋ２Ｋ液晶パネルがフルＨＤ画像を表示する時の高階調画素及び低階調画素の構成を示す概略図である。
【図３Ｇ】図３Ｇは、４Ｋ２Ｋ液晶パネルがフルＨＤ画像を表示する時の高階調画素及び低階調画素の構成を示す概略図である。
【図４】図３Ａから図３Ｇに示す高階調画素及び低階調画素の構成と、横クロストーク又は色ムラレベルとの関係を示す図である。
【発明を実施するための形態】
【００２５】
以下、本発明を実施するための最良の実施形態について説明する。この説明は、本発明の一般原理を例示するためのものであり、限定の意味に捉えられるものではない。本発明の範囲は、添付の特許請求の範囲に記載の請求項により決定される。
【００２６】
本発明の液晶表示装置及びその表示方法は、２Ｄ表示モードと３Ｄ表示モードに適用することが可能である。以下、本発明の４Ｋ２Ｋ液晶表示装置がフルＨＤの２Ｄ表示モード及びフルＨＤの３Ｄ表示モードに適用される駆動方法について説明する。
【００２７】
図１は、本発明の１つの実施形態に係る、４Ｋ２Ｋ液晶表示装置にフルＨＤの２次元画像が入力される駆動方法を示す概略図である。図１Ａは、４Ｋ２Ｋ液晶パネルを示す回路図である。図１Ｂは、図１Ａに示す４Ｋ２Ｋ液晶パネルにおける走査線及びデータ線の信号のタイミングチャートを示す図である。
【００２８】
図１Ａに示すように、４Ｋ２Ｋ液晶パネル１０は、ｍ本の走査線Ｓ１、Ｓ２、Ｓ３、・・・、Ｓｍ、及びｎ本のデータ線Ｄ１、Ｄ２、Ｄ３、．．．、Ｄｎを有する。本実施形態において、４Ｋ２Ｋの解像度は３８４０×２１６０であると仮定すると、走査線の数は２１６０であり、データ線の数は３８４０である。
【００２９】
４Ｋ２Ｋ液晶パネル１０は、画素列毎に、同じ極性のデータが供給されるように駆動される。図１Ａに示すように、例えば、あるフレーム期間において、第１画素列にはデータ線Ｄ１によって正極性のデータが供給され、第２画素列にはデータ線Ｄ２によって負極性のデータが供給される。
【００３０】
図１Ｂには、走査線Ｓ１、Ｓ２、Ｓ３…Ｓｍ及びデータ線Ｄ１、Ｄ２、Ｄ３…Ｄｎの信号の出力タイミングが示されている。走査方法は、従来の順次走査方式である。所定のフレーム期間において、走査線Ｓ１、Ｓ２、Ｓ３…Ｓｍがハイレベル信号ＶＧＨ及びローレベル信号ＶＧＬを順に遷移される。駆動方法は、列反転駆動方式である。所定のフレーム期間において、各データ線は、同じ極性のデータ信号を出力するが、隣接するデータ線は、互いに逆極性を有するデータ信号を出力する。次のフレーム期間において、各データ線は、前のフレーム期間における出力した信号と逆極性の信号を出力する。
【００３１】
図２は、本発明のもう１つの実施形態に係る、４Ｋ２Ｋ液晶表示装置にフルＨＤの３次元画像が入力される駆動方法を示す概略図である。図２Ａは、４Ｋ２Ｋ液晶パネルを示す回路図である。図２Ｂは、図２Ａに示す４Ｋ２Ｋ液晶パネルにおける走査線及びデータ線の信号のタイミングチャートを示す図である。
【００３２】
３次元画像が表示される場合、４Ｋ２Ｋ液晶パネル１０は、画素列毎に、同じ極性のデータが供給されるように駆動される。図２Ａは、図１Ａと同じであるため、その説明を省略する。
【００３３】
しかし、図２Ｂに示すように、４Ｋ２Ｋ液晶パネル１０に３次元画像が表示される場合と、４Ｋ２Ｋ液晶パネル１０に２次元画像が表示される場合とは、走査線Ｓ１、Ｓ２、Ｓ３、・・・、Ｓｍの信号の出力タイミングが異なる。走査方法は、依然として順次走査方式であるが、データ線が送信されたデータを同時に２つの画素行に書き込むように、２本の走査線を同時に走査する（例えば、走査線Ｓ１及びＳ２の信号レベルが同時にハイレベルＶＧＨに遷移している）。したがって、同じ走査速度の下で、フレーム期間を半分（フレームｘ’の長さ＝１／２フレームｘの長さ）に短縮することができる。これにより、隣接する２つのフレームはそれぞれ、左眼用画像と右目用画像をそれぞれ表示するために使用することができ、ユーザは、３Ｄメガネ（アクティブシャッター方式）を介して３Ｄ画像を見ることができる。一方、駆動方法は、依然として列反転駆動方式である。１つのフレーム期間において、各データ線は、同じ極性のデータ信号を出力するが、隣接するデータ線は、互いに逆極性を有するデータ信号を出力する。次のフレーム期間において、各データ線は、前のフレーム期間における出力した信号と逆極性の信号を出力する。
【００３４】
上記の説明から、４Ｋ２Ｋ液晶パネルにフルＨＤ画像が入力される駆動方法が分かる。以下、４Ｋ２Ｋ液晶パネルにおける画素は、どのようにフルＨＤ画像を表示するかを説明する。
【００３５】
４Ｋ２Ｋ液晶パネルの解像度（即ち、総表示ドット数）は、フルＨＤの解像度の４倍（長さ及び幅は、両方とも２倍）である。これにより、４Ｋ２Ｋ液晶パネルは、フルＨＤ画像を表示する際に、２×２のマトリックスに配列された４つのドットによって、フルＨＤ画像における１つのドットを表示する。
【００３６】
本発明の４Ｋ２Ｋ液晶パネルは、小ドットサイズを有する表示パネルである。例えば、ドットサイズは、０．０１８ｍｍ２以上０．１６ｍｍ２以下である。画素サイズが小さいので、画素をさらに高階調領域と低階調領域に分割すると、配線、及び高低階調領域間に位置するブラックマトリックスが増大することによって、各画素の開口率が低減してしまう。そのため、ドットサイズが０．０１８ｍｍ２以上０．１６ｍｍ２以下の液晶パネルでは、低カラーシフトを達成するために画素を高階調領域と低階調領域に分割することをしない。しかし、表示される画像は、液晶パネルの解像度よりも低い解像度を有する場合、低解像度の画像のドットを表示するために、複数の画素が共同で使用される。このように、複数の画素の半分に高階調を表示させ、他の半分に低階調を表示させることによって、低カラーシフトを達成することができる。
【００３７】
上述のように、４Ｋ２Ｋ液晶パネルはフルＨＤ画像を表示する際、４つの画素が共同でフルＨＤ画像の１つの画素を表示する。そのうち２つの画素には、ドットの階調よりも高い高階調を表示することができ、他の２つの画素には、画素の階調よりも低い低階調を表示することができる。それによって、人間の目で隣接する小さい画素の階調差を識別することは困難であるので、高階調及び低階調によって混合された階調が感知され、つまり、表示されるフルＨＤ画像の１つのドットが表示しようとする階調に相当する階調が感知される。高階調画素と低階調画素を組み合わせることによってフルＨＤ画像の１つの画素を表示すると、液晶パネルの視野角を拡大してカラーシフトを低減することができる。
【００３８】
以下、本発明の実施形態による高階調画素と低階調画素のいくつかの構成について説明する。
【００３９】
図３Ａ〜図３Ｇにおいては、高階調画素を“Ｈ”で表し、低階調画素を“Ｌ”で表している。２×２のマトリックスに配列され、２つの画素毎に同じ色を表示する４つの画素において、２つの高階調画素及び２つの低階調画素の可能な構成としては、図３Ａ〜図３Ｇに示すような構成を挙げることができる。図３Ａでは、水平方向及び垂直方向に交互に並ぶように配列される高階調画素及び低階調画素を示している。図３Ｂでは、水平方向に高階調画素及び低階調画素が交互に並ぶように配列され、垂直方向に２つの高階調画素及び２つの低階調画素が交互に並ぶように配列されている。図３Ｃでは、水平方向に２つの高階調画素及び２つの低階調画素が交互に並ぶように配列され、垂直方向に高階調画素及び低階調画素が交互に並ぶように配列されている。図３Ｄでは、２つの高階調画素及び２つの低階調画素は、水平方向及び垂直方向に交互に並ぶように配列並ぶように配列されている。図３Ｅでは、水平方向に高階調画素及び低階調画素が交互に並ぶように配列され、垂直方向に高階調画素のみ又は低階調画素のみが配列されている。図３Ｆでは、水平方向に高階調画素のみ又は低階調画素のみが配列され、垂直方向に高階調画素及び低階調画素が交互に並ぶように配列されている。図３Ｇでは、水平方向に高階調画素のみ又は低階調画素のみが配列され、垂直方向に２つの高階調画素及び２つの低階調画素が交互に並ぶように配列されている。なお、図３Ａ〜３Ｇに示す、「Ｈ」で表す高階調画素と「Ｌ」で表す低階調画素をすべて逆とした構成としてもよい。したがって、実際には、図３Ａ〜３Ｇがそれぞれ２つの構成を示している。
【００４０】
図４は、図３Ａから図３Ｇに示す高階調画素及び低階調画素の構成と、横クロストーク又は色ムラレベルとの関係を示す図である。横軸は、低カラーシフト技術を適用しない（１つのドットを表示するための複数の画素が高階調画素及び低階調画素に分割されず）モデルと、図３Ａ〜図３Ｇに示す高階調画素及び低階調画素の構成である７つのモデルとの、合わせて８つのモデルを表している（左から右へ）。左側の縦軸は、横クロストークを表しており、割合が高いほど、横クロストークが深刻であることを表している。右側の縦軸は、色ムラレベルを表している。色ムラレベルは、人間の目で大まかに定量化され、値が大きいほど、色ムラが深刻で画像品質が悪いことを意味している。また、横クロストークを測定するには、画素全体をオンにして高階調画素とし、画素全体をオフにして低階調画素とする測定方法、及び画素全体の緑色サブ画素のみをオンにして高階調画素とし、画素全体のサブ画素をオフにして低階調画素とする測定方法が実行された。
【００４１】
図４に示すように、横クロストークについて、図３Ｃ〜図３Ｇのモデルは、低カラーシフト技術を適用しないモデルと同じように、最低レベルの横クロストーク（約４１％）を有することが分かる。色ムラレベルについて、図３Ｆ及び図３Ｇのモデルだけは、低カラーシフト技術を適用しないモデルと同じ画像品質（最低レベル１）を有することが分かる。したがって、横クロストークと色ムラレベルの両方と考慮すると、フルＨＤ画像を表示する４Ｋ２Ｋ液晶パネルに対して、図３Ｆ及び図３Ｇに示す高階調画素及び低階調画素の構成が最適である。
【００４２】
図３Ｆ及び図３Ｇに示す構成は、共に高階調画素及び低階調画素の最適の構成である。そのうち１つの構成は、４Ｋ２Ｋ液晶パネルにフルＨＤの２次元画像が表示される場合に適用され、もう１つの構成は、４Ｋ２Ｋ液晶パネルにフルＨＤの３次元画像が表示される場合に適用される。４Ｋ２Ｋ液晶パネルにフルＨＤの２次元画像が入力される場合、その走査方法は順次走査であるため、図３Ｆ及び図３Ｇに示す構成は適用されることが可能である。しかし、図３Ｇにおいて、第１画素行及び第２画素行の画素が高階調画素であり、第３画素行及び第４画素行の画素が低階調画素であるため、２×２のマトリックスに配列された４つの画素によってフルＨＤ画像の１つのドットを表示する場合（同じ色を表示する）、第１画素行及び第２画素行における、２×２のマトリックスに配列された４つの画素全体が高階調画素となり、第３画素行及び第４画素行における、２×２のマトリックスに配列された４つの画素全体が低階調画素となる。こうすると、高階調画素及び低階調画素の組合せによって１つの画素を表示する時の低カラーシフト効果を達成することができない。したがって、４Ｋ２Ｋ液晶パネルにフルＨＤの２次元画像が入力される場合には、図３Ｆの高階調画素及び低階調画素の構成、即ち、水平方向に高階調画素のみ又は低階調画素のみが配列され、垂直方向に高階調画素及び低階調画素が交互に並ぶように配列されている構成を採用する。
【００４３】
４Ｋ２Ｋ液晶パネルにフルＨＤの３次元画像が入力される場合、その走査方法は依然として順次走査であるが、２本の走査線を同時に走査する。こうすると、同時に走査される２つの画素行には、同じデータが書き込まれる。したがって、図３Ｆに示すような、垂直方向に高階調画素及び低階調画素が交互に並ぶように配列される構成は、この駆動方法の下では適用できない。図３Ｇに示す構成、即ち水平方向に高階調画素のみ又は低階調画素のみが配列され、垂直方向に２つの高階調画素及び２つの低階調画素が交互に並ぶように配列される構成は採用されるべきである。なお、４Ｋ２Ｋ液晶パネルがフルＨＤの３次元画像を表示する際、フルＨＤ画像の１つのドットは、２×２のマトリックスの４つの画素によって表示されることができず、４×１のマトリックスの４つの画素によって表示される。
【００４４】
上記本発明の実施形態によれば、４Ｋ２Ｋ液晶パネルでフルＨＤ画像を表示する時に低カラーシフト技術を利用しようとする場合、高階調画素のみ又は低階調画素のみが水平方向に配列されている構成は、採用できる最良の構成であることが分かる。この構成の下では、広視野角を実現したことに加え、低い横クロストーク及び色ムラを保ち、画像品質を確保することができる。また、４Ｋ２Ｋ液晶パネルでは、２次元画像又は３次元画像の表示によって異なる構成を採用する。具体的に、フルＨＤの２次元画像信号が４Ｋ２Ｋ液晶パネルに入力される場合には、水平方向に高階調画素のみ又は低階調画素のみが配列され、垂直方向に高階調画素及び低階調画素が交互に並ぶように配列される構成を採用する。フルＨＤの３次元画像信号が４Ｋ２Ｋ液晶パネルに入力される場合には、水平方向に高階調画素のみ又は低階調画素のみが配列され、垂直方向に高階調画素及び低階調画素が２つずつ交互に並ぶように配列される構成を採用する。
【００４５】
本発明の好適な実施形態を前述の通り開示したが、これらは決して本発明を限定するものではない。本発明の特許請求の範囲による各種の変動及び修正は、本発明の保護を求める範囲内に属するものである。例えば、本発明は、４Ｋ２Ｋ液晶パネルにフルＨＤの画像信号が入力されることを例として挙げるが、４Ｋ２Ｋ液晶パネルに限定されない。他の高解像度の液晶パネルに低解像度の画像信号が入力される場合（例えば、８Ｋ４Ｋ解像度を有する液晶パネルに４Ｋ２Ｋ解像度の画像信号が入力される）には、水平方向に高階調画素のみ又は低階調画素のみが配列されている構成を採用することによって、低カラーシフトを達成するとともに、最低レベルの横クロストーク及び色ムラを保つことができる。
【符号の説明】
【００４６】
１０  液晶パネル
Ｓ１，Ｓ２，Ｓ３，…，Ｓｍ  走査線
Ｄ１，Ｄ２，Ｄ３，…，Ｄｎ  データ線
ＶＧＨ  ハイレベル信号
ＶＧＬ  ローレベル信号
【図１Ａ】
2014232321.tif 000003
【図１Ｂ】
2014232321.tif 000004
【図２Ａ】
2014232321.tif 000005
【図２Ｂ】
2014232321.tif 000006
【図３Ａ】
2014232321.tif 000007
【図３Ｂ】
2014232321.tif 000008
【図３Ｃ】
2014232321.tif 000009
【図３Ｄ】
2014232321.tif 000010
【図３Ｅ】
2014232321.tif 000011
【図３Ｆ】
2014232321.tif 000012
【図３Ｇ】
2014232321.tif 000013
【図４】
2014232321.tif 000014